(57)【要約】      （修正有）【課題】カーペットなどの装飾用の可撓性カバーを床などから着脱可能にするアンカーシートモジュールを提供する。【解決手段】カーペット、タイル、石、またはその他の材料で完成した装飾用の可撓性の床カバーの下面にループ１０１を設け、床に取り付ける比較的薄い可撓性アンカーシート９６の上面にフック９７を設け、実際上床に取り付けることなしに装飾用の可撓性の床カバーと比較的薄い可撓性アンカーシートとを予め取り付けた。【選択図】図１７
2012101108.tif 000002
【特許請求の範囲】
【請求項１】
被覆される表面に輸送され付加的なモジュールに取付けられ、相補形ループの基材を有する上張りの装飾用カバー片を敷設するためのフックで覆われたアンカーシートモジュール（２１９）であって、
上面（２２０）および下面（２２４）を有し、少なくとも上面（２２０）が複数個のフックで覆われる上層（２２３）と、
前記上層（２２３）の下面（２２４）に取付けられる下層（２２５）と、を含み、
前記下層（２２５）は、該下層（２２５）への前記上層（２２３）の取付け後、隣接するモジュールの前記上層におけるオーバーラップ部分、または、モジュールと隣接するモジュールとの間の継ぎ目に重なり合う付加的な一片における着脱可能な取り付けのための前記下層（２２５）におけるオーバーラップ領域（２２６）が設けられるように、寸法を有するアンカーシートモジュール（２１９）。
【請求項２】
各モジュールにおける前記上層（２２３）および前記下層（２２５）は、恒久的に取り付けられる請求項１記載のアンカーシートモジュール（２１９）。
【請求項３】
前記アンカーシートモジュールの下層（２２５）のオーバーラップ領域（２２６）と、前記アンカーシートモジュールの上層（２２３）のオーバーラップ領域（２２６）とが、相補形フックおよびループの取付けシステムによる隣接するアンカーシートモジュールのオーバーラップ領域への取り付けによって、隣接するアンカーシートモジュールへのそのアンカーシートモジュールの着脱可能な取付手段を備える請求項１記載のアンカーシートモジュール（２１９）。
【請求項４】
前記アンカーシートモジュール（２１９）の下層（２２５）の下面が、弾性を持つクッションで覆われる請求項１記載のアンカーシートモジュール（２１９）。
【発明の詳細な説明】
【技術分野】
【０００１】
（発明の序説）
本発明は、アンダーカーペットあるいはその他の装飾用カバーに用いられる比較的薄く可撓性のある、しかし比較的剛いアンカーシートに関する。実際には、敷設されたとき、アンカーシートは機能ユニットとして装飾用カバーを結合するように、かつこのようなユニット、特にカーペットなどの可撓性の装飾用カバーを有するユニットに質量と安定性を加えるように働く。アンカーシートは、カバーの下面で相補的なループと係合することにより装飾用カバーをアンカーシートに繋留するためのフックで一方の側を実質上覆ってもよい。アンカーシート自体は、床または壁などの下にある基体に取り付けてもよく、あるいはシートはカバー付きで、またはカバーなしで十分な質量を有する床の上に弛く載せてもよく、あるいは動きを妨げるように配置してもよい。後に説明するように予め取り付けた装飾用カバーを備えた小さなまたは大きなモジュールとしてアンカーシートを供給することができる。また、アンカーシートは、より小さなモジュールからなるユニットとして供給することも可能であり、それはフックテープのような重なる非装飾材料を用いて、あるいは後に説明するような大きなユニットを形成するためにモジュール式アンカーシートまたはモジュール式カバーユニットを用いて連続した塊を形成するように作製することができる。
【背景技術】
【０００２】
（発明の背景）
カーペットなどの装飾用の可撓性のカバーは、木材またはコンクリート製の床などの剛い支持基体に取り付けるのが普通である。カーペットは、それが覆う床に固着させることが多くの場合望ましく、あるいは必要でさえあり、長年様々な取り付け方法が開発されてきた。
【０００３】
カーペットは直接床に接着剤で貼り付けることができる。これは、下に横たわる床がコンクリートである公共施設の場においてしばしば採用される方法であり、被覆されるコンクリートの領域全体に液状の接着剤が塗布される。この方法は、カーペットと床との間に与えられた接着力が損なわれない状態のままである限り、カーペットがしわにならないという利点を有する。もちろん、このようなカーペットの調整あるいは交換は、以前塗布された接着剤を床から剥ぎ取り、新しい接着剤を塗布するという認識において困難である可能性がある。これに加えて、このような接着剤は多くの場合、ある場所では禁止されており、あるいは別の場所では換気を必要とする揮発性の有機成分を含む。
【０００４】
ウォールツーウォールカーペットを敷設するために採用される他の方法には、「タックレスストリップ片」の使用があり、これは上方に向けて角度付けられた留め鋲を有する木製のストリップ片である。ストリップ片は、被覆される領域の外縁に、多くの場合木製の床に釘付けすることにより固定され、カーペットは留め鋲で引き伸ばされる。この方法は、発生するしわを取り除くためにカーペットを再度引き伸ばすことができ、カーペットおよびアンダーパッドは床に恒久的に接着されることなく、破壊せずに取り除くことができるという利点がある。しかしながら、引き伸ばすことは骨の折れる激しい仕事であり、この方法によりウォールツーウォールカーペットを敷設することは比較的費用のかかるものになる。また、この方法により揮発性の有機物の使用が避けられるが、タックストリップ片をコンクリートに敷設することによる幾つかの困難が起こる。
【０００５】
ベルクロ式ファスナの使用を含むごく最近の方法は、独国特許第７，０２９，５２４号（１９７０年８月８日、Ｖｅｌｃｒｏ  Ｆｒａｎｃｅ社）（特許文献１）、米国特許第３，５７４，０１９号（１９７１年４月６日、Ｇｉｒａｒｄ）（特許文献２）、英国特許第１，５４６，９０１号（１９７９年５月３１日、Ａｌｌｉｅｄ  Ｃｈｅｍｉｃａｌ  Ｃｏｒｐｏｒａｔｉｏｎ）（特許文献３）、米国特許第４，８２２，６５８号（１９８９年４月１８日、Ｐａｃｉｏｎｅ）（特許文献４）、米国特許第５，１９１，６９２号（１９９３年３月９日、Ｐａｃｉｏｎｅ）（特許文献５）、米国特許第５，３８２，４６２号（１９９５年１月１７日、Ｐａｃｉｏｎｅ）（特許文献６）、米国特許第５，４７９，７５５号（１９９６年１月２日、Ｐａｃｉｏｎｅ）（特許文献７）、および、国際公開第９８／０３１０４（１９９８年、１月２９日  Ｐａｃｉｏｎｅ）号公報（特許文献８）に説明されている。
【０００６】
同一発明者による米国特許第４，８２２，６５８号（特許文献４）には、フックをもつストリップ片を部屋の外縁で、またカーペットの継ぎ目で粘着剤により固定するウォールツーウォールの敷設について記述されている。その裏面にわたってループを有するカーペットは、部屋に合わせて裁断され、ループがフックテープと係合する。米国特許第５，１９１，６９２号（特許文献５）には、米国特許第４，８２２，６５８号（特許文献４）に記述されたものと同様のカーペットを継ぎ合わす方法が記述されている。また、これらの両特許明細書は、フックテープにカバーを用いることにより得られる利点について開示し、その主な利点はこのようなカバーがフックとループの時期尚早の係合を妨げ、敷設の間に時期尚早に係合したフックとループを切り離すことを必要とせずにカーペットの適切な配置と調整を可能にすることである。この従来の取り組み方法は、カーペットを敷いた領域の外縁および継ぎ目にストリップ片を敷設する利点を提供し、特に破壊せずにカーペットを持ち上げることができ、また揮発性の接着剤を含む合成物の使用を回避することができる。
【０００７】
カーペットおよび他の装飾用カバーにとっての「ホウリーグレイル（ｈｏｌｙ  ｇｒａｉｌ）」は、配置されたとき下に横たわる基体に取り付けることを、ほとんどあるいは全く必要としないような質量と安定性を有し、既存のカバーを取り除くことを必要とせずに既存の基体上に敷設することができるシステムであろう。しかしながら、トラックで輸送するために、また部屋などの現地に物理的に適合させるために、このようなシステムは、ロールに巻き取ることができるような十分な可撓性を備えるか、またはもし剛い場合は、特に様々な既存の床あるいは床面の被覆を取り扱うときには、最小限の着脱可能な取り付けにより、あるいは恐らく取り付けることなく所定の位置にとどめるために十分な質量と安定性を備えて、そのまま隣接する質量を形成するようにモジュールを組み立てる方法を備えるか、どちらかでなければならない。
【先行技術文献】
【特許文献】
【０００８】
【特許文献１】独国特許第７，０２９，５２４号明細書
【特許文献２】米国特許第３，５７４，０１９号明細書
【特許文献３】英国特許第１，５４６，９０１号明細書
【特許文献４】米国特許第４，８２２，６５８号明細書
【特許文献５】米国特許第５，１９１，６９２号明細書
【特許文献６】米国特許第５，３８２，４６２号明細書
【特許文献７】米国特許第５，４７９，７５５号明細書
【特許文献８】国際公開第９８／０３１０４号公報
【特許文献９】米国特許第５，０６０，４４３号明細書
【発明の概要】
【課題を解決するための手段】
【０００９】
（発明の概要）
前述のようにカーペットおよび他の装飾用カバーをほんの僅かな不連続な取り付け点で下に横たわる下面に取り付けることを可能にする、あるいは場合によっては容易に取り除くことができるように全く取り付けないことさえも可能になることには利点がある。不連続な取り付け点で下に横たわる基体に取り付けることは、下に横たわる基体に与える損傷を最小限にし、基体から取り除くことを容易にし、かつ敷設を容易にする。しかしながら、人の往来、回転する乗り物、家具の移動、あるいは湿気もしくは温度の変化により生じる力により応力がかかったとき、大気に対する安定性、平坦性、水平面の安定性を維持するように上に載せられるカーペットあるいは他の装飾用カバーの設計を可能にするために、ある１つの製品、方法、およびシステムは、カーペットあるいはその他の装飾用カバーの下面にわたって構造的に組み込まれた取り付けに対してこれら個々の取り付け点が変えることが必要である。
【００１０】
これに加えてシステムは、カーペット、硬木、セラミック、石などの他の装飾用カバー片を、下に横たわる着脱可能なアンカーシートの使用により共に組み込む可能性を提供する。次に、遠く離れた場所で敷設に先だって一緒にくっつけた装飾用カバーおよびアンカーシートからなる個々のモジュールを作製することができる。このようなモジュールは、修理、あるいは交換、あるいは設計上の理由で必要になった場合に容易に取り外し、また再度取り付けることができる。これに加えて、このような個々のモジュールは、完成された構造に十分な質量を与え、また基体に取り付ける必要性を極力抑え、あるいはなくするように安定性を与えるために隣接するモジュールのアンカーシートあるいは装飾用カバーをオーバーラップさせることにより共に動かなくすることができる。
【００１１】
これに加えて、アンカーシートは、ループを備えた上にある装飾用カバー片をいつでも受け入れられる、フックで覆われた完成したアンカーシートの下張材を作り出すために個々のアンカーシート用モジュールを用いて床上に分離して敷設することができる。
【００１２】
本発明は一態様において、床面あるいは壁などの下に横たわる剛い支持基体に対するカーペット、セラミックタイル、タイル、硬木、大理石、あるいは壁カバーなどの装飾用カバーを着脱可能に取り付けるための、好ましくはプラスチックあるいは他のポリマー製のアンカーシートを特徴とする。
【００１３】
好ましくは、１つまたは多層の比較的薄く可撓性のある、比較的剛いシートの形態のアンカーシートを提供することによって、カーペットあるいはカーペット片の下面の補完するループと合致する可撓性シートの上面の補完するフックを用いることにより、シート面上に予め組み立て、あるいは現場で組み立てることができる可撓性のカーペットなどのカバー材料に完全性を与えることができる。ついでシートを、幾つかの不連続な点だけでコンクリートあるいは木材など下に横たわる基体上に敷設することができる。アンカーシートは石またはタイル上にさえ、石またはタイル床を著しく破壊することなく装飾用カバーを敷設することを可能にする。これは、また装飾用の模様を形成するためにアンカーシート上で一緒に様々な色あるいは片の装飾用カバーを裁断および合わせることにより、装飾用の模様を工場あるいは他の場所で予め組み立て、あるいは現場で組み立てることを可能にする。このようなシステムは、部分的絨毯または壁から壁にかけてのカバーに好適であり、またある種のタイプの壁から壁にかけての絨毯、および部分的絨毯、あるいはタイルにおいてさえ、アンカーシートを下に横たわる基体に取り付けることを全く必要としなくなるかもしれない。カーペットを壁あるいは部屋の境界に適合するように裁断する場合、あるいは例えば大量の家具が上に置かれる場合、アンカーシートは、カーペットに対して外縁の壁または他の境界の拘束下で、単にその位置に設置されることを可能にするのに十分な完全性が与えられればよい。しかしながら、アンカーシートは、それが配置される床または壁を支えないので、例えばＰａｃｉｏｎｅによる米国特許第５，０６０，４４３号（特許文献９）のアンカー板に記載されているような従来の意味における構造的支持体ではないということを強調するべきである。これは、その上にあるカーペットあるいは装飾用カバーを安定化するための、およびカーペットあるいは装飾用カバーの個々の片を相互に結び付けるための媒体であるが、床にとって不可欠ではない。通常、実際にはアンカーシートは、アンカーシートが床の欠陥部を「乗り越える」ことを可能にするために、あるレベルの可撓性を維持する。
【００１４】
通常、アンカーシートは、上にある装飾用カバーに対して相対的に薄いが、例えば大理石のベニアの薄い層がある場合にはアンカーシートは、上にある材料より厚く、剛くすることができ、また金属（アルミニウムまたは鋼）あるいは木材などのプラスチックとは別の材料で作製することもできる。
【００１５】
本発明者等は、「可撓性」および「剛性」の両方をもつようなアンカーシートについて記述した。それは、妥当な長さに関して曲げることができ、ほとんどの環境において例えば３から４インチ（約７．６から１０．２ｃｍ）の曲率半径で巻き取ることさえ可能であるという意味で可撓性である。それは、一方の端を保持した場合、布や織物やテープと違って垂れ下がることなく、例えば１２〜２４インチ（３０．４８〜６０．９６ｃｍ）の距離にわたって自身を支えることができるという意味で剛性である。
【００１６】
したがって、本発明は一態様において、床などの剛い支持基体にカーペットなどの装飾用カバーを着脱可能に取り付けるための着脱可能なアンカーシートからなり、装飾用カバーは完成された上面および実質上ループで覆われた反対側の面を有する。アンカーシートには、比較的薄く可撓性があり、比較的剛いシートを含むことができ、好ましくはポリカーボネート、ポリエステル、ポリエチレン、あるいはポリプロピレンなどのプラスチックであり、これは装飾用カバーのループ面に面する上面をフックにより実質上覆われ、装飾用カバーと支持基体の中間に配置される。この屈曲性の１つまたは複数のアンカーシートは、上にあるシート製品の結合された片と正確には同一寸法であるが、通常はそうでなくてもよい。通常、アンカーシートあるいは装飾用カバーのオーバーラップする領域は、ある場所において一緒に使用されるアンカーシートを繋ぐことを可能にするために用いられる。アンカーシートはシート製品の下の面積より大きくてもよく、あるいは上にあるカーペットを壁もしくは他の境界に対して切り整えることが望ましい場合には、より小さくすることができる。アンカーシートおよび装飾用カバーは、その組合せにおいて、あるいはアンカーシートに隣接し、もしくはその中間に配置された他の床材料との組合せにおいて、その組み合わせたものが剛い支持基体上にある場合、床あるいは他の基体上のシート製品に加えられた水平のせん断力に対して装飾用カバーを支持するのに十分な剛性を有しなければならない。場合によってはアンカーシートは、ある限定された数の不連続の点で基体に取り付けられることになり、あるいは場合によっては部屋の境界の内側でカバーと一緒に、あるいはそれ自身の上でさえ自由に遊動するのに十分な剛性と質量を有してもよい。
【００１７】
したがって本発明の別の態様においては、アンカーシートを相互に突き合わせるように敷設することが可能であり、また補完するフックおよびループの技術の使用と共に、突き合わせられるアンカーシートを繋ぐためにアンカーシートのフックカバー、またはカーペットなどの他のオーバーラップする片もしくは上にある装飾用カバーを用いることが可能である。場合によっては、上にあるカバーがアンカーシートの継ぎ目をオーバーラップし、さらにアンカーシートがカバーの継ぎ目をオーバーラップして、アンカーシートとカバーを結合する。場合によってはアンカーシートを最初に作製して、フックおよびループ、または感圧接着剤のいずれかを用いたアンカーシートの継ぎ目に敷設されるオーバーラップするフックテープあるいはテープカバーを用いて隣接する質量を形成してもよい。ついで、このアンカーシートの質量は、上にある装飾用カバーを敷設するための基体、あるいは場合によっては他の装飾用の片を突き合わせ、あるいは挿入するための骨組みを形成することができる。
【００１８】
装飾用カバーは、アンカーシートから着脱できることが好ましいが、全ての場合に必要ではない。より小さなモジュールの場合には、装飾用カバーは隣接するモジュールでオーバーラップされることにより、通常はアンカーシートあるいは装飾用カバーの領域を着脱可能な取り付けのために露出したままで非装飾用アンカーシート上に予め敷設されることになり、また恒久的に敷設することさえ可能である。このオーバーラップする領域を着脱可能な取付けのために準備し、また敷設の間、適正に整列させるためモジュールを調整することを可能にするために敷設の間に装着するのを妨げる手段を準備することが必要である。着脱可能な取り付け手段は、好ましくはフックおよびループの取り付けシステムであるが、また粘着性を保持しながら何回かの開閉が可能な接着剤であってもよい。フックおよびループがモジュールの接合に用いられる場合には、カバーはフックおよびループと接着しない、手で滑らかに動くプラスチック製の「スリップカバー」であってもよく、あるいは最初の特許であるＰａｃｉｏｎｅによる米国特許第４，８２２，６５８号（特許文献４）におけるフックカバーと似ていなくもない織布あるいは紙製のフックカバーを用いることもできる。寄木張り、タイル、硬木、セラミックタイル、あるいは他の剛い装飾用カバーに対して可撓性のテープカバーを、オーバーラップする領域で用いることができ、これは予め組み立てられたカバーの下から引き出すことのできる引き紐を備えている。この全プロセスは、全体に接着剤を用いて、あるいは一部に接着剤および一部にフックとループを用いて再現することができる。
【００１９】
したがって、床上で「自由に遊動する」ことができる、あるいはほんの僅かの不連続の点で連結することができるアンカーシートの個々のモジュールおよびカバーの個々のモジュールは、支持塊中で互いに結合される。
【００２０】
別の態様において本発明は、オーバーラップする千鳥配列の関係にある１つまたは複数のアンカーシート、およびカバー片からなり、一般に使用する際、このような床カバーを下にある床に取り付ける必要がないように、十分な剛性、大気に対する安定性、水平面の安定性（せん断力に対する安定性）、および可撓性を有する連続的な床カバーを形成する。つるつるした大理石の床または傾斜路もしくは階段を覆う小さな領域の絨毯に対して、あるいは最終用途が激しい往来を含む場所で、あるいはアンカーシートの骨組み中に絨毯が部分的に敷設される場所、またはこのような絨毯が骨組み中に挿入され、周辺でのみアンカーシートに取り付けることができ、あるいは全く取り付けることができない場所では接着することが必要となることもある。
【００２１】
本発明の別の態様は、オーバーラップする千鳥配列の関係状態で結合されたアンカーシートのモジュールからなり、補完するループにより取り付けられるカバー片をいつでも受け入れられるように、またカバー片を結合して剛い、大気に対して安定なカバーにするためにフックでほぼ覆われた上面を有する隣接するアンカーシートカバーを形成する。
【００２２】
本発明の別の態様においては、アンカーシートおよび装飾用カバーを含む装飾用モジュールは、アンカーシート上の装飾用カバーがアンカーシートに所定の量だけオーバーラップするように、装飾用カバーの下側の若干のループに対するアンカーシートの上面に若干のフックを着脱可能に取り付けることにより離れた場所で予め組み立てることができる。
【００２３】
別法では、装飾用カバーを、第１キャリヤ用アンカーシート上に組み立て、ついで第２アンカーシート上に組み立てることができる。ついで予め組み立てた装飾用モジュール（あるいはアンカーシートモジュール）を現地に送り、１ユニットの装飾用カバーの下側（あるいはアンカーシートモジュールの上層の下側）のループと、隣接する装飾用モジュールのアンカーシートの上面（あるいはアンカーシートモジュールの下側の層の上面）のフックの間で噛み合うことが可能になるように、突き合わせる方式で１つ１つ下に横たわる基体上に配置することができる。成長するモジュールからなるサーフェイスカバーに付加された各装飾用モジュール（あるいはアンカーシートモジュール）は、確定された装飾用モジュール（あるいはアンカーシートモジュール）のアンカーシートの露出したフック上にプラスチックの薄くて剛い片を配置することにより、適正な位置に導くことができる。確定されたモジュールに付加される装飾用モジュール（あるいはアンカーシートモジュール）を適正に整列させた後に、薄くて剛いプラスチック片を２つのモジュールから水平面に平行に滑らせて離し、それによって突き合わされるモジュールがフックおよびループのシステムにより噛み合うようにする。また、プラスチックの薄くて剛い片は、モジュールのサーフェイスカバーの個々のモジュールを取り外すために用いることもできる。薄くて剛いプラスチックは、突き合わされるモジュールのフックおよびループのファスナの機械的に結合した部分の間に水平面に平行に挿入され、それによって機械的な結合を切断し、またユニットをモジュールからなるサーフェイスカバーから取り外して除去することを可能にするために、フックおよびループを互いに接触しないように保持する。
【００２４】
別の態様において本発明は、被覆されるべき表面に対する輸送用、および追加モジュールの取り付け用のカバー用モジュールからなり、上側の装飾面と反対側の下面を有する少なくとも１枚の装飾用カバーと、上面を有する非装飾用アンカーシートと、非装飾用アンカーシートに下面のかなりの部分にわたって取り付けられた装飾用カバーと、装飾用カバーをアンカーシートに取り付けた後、モジュールの少なくとも一縁部に沿って露出されたアンカーシートの上面のオーバーラップ領域を提供し、そのオーバーラップ領域が、隣接するモジュールに取り付けられた装飾用カバーを下面のオーバーラップ領域に取り付けることにより、そのようなモジュールを隣接するモジュールに着脱可能に取り付ける手段を備えるように寸法を与えられたアンカーシートとを含む、完成された装飾面を形成する。
【００２５】
限定されない様々な形状および大きさのカバー用モジュールが構築され、レッドおよびブルーのカーペットのユニットを交互に代えるなど同じタイプの装飾用カバーの様々な色あるいは模様を組み合わせることにより、あるいはホテル、レストラン、あるいはボールルームの設定におけるカーペットおよび硬木などの、あるいは家庭向けの設定におけるカーペット、硬木、セラミックタイル、あるいは石などの様々なタイプの装飾用カバーを組み合わせることにより装飾模様を現場で組み立てることができる。一般の使用においては、下に横たわる面に取り付ける必要がないように、このような隣接するカバーは十分な剛性および質量を有してもよい。例えば、被覆される面が壁の場合、このような取り付けは構造に安定性を与えず、単にユニットを定位置に保持するだけであるため、場合によっては不連続な点でアンカーシートを取り付けることが必要であるかもしれない。
【００２６】
前述のように、カバー用モジュールに対して記述した原理は、同様にアンカーシート用モジュールにも適用できる。このアンカーシート用モジュールは、上側のフック層および下層を有するユニットであってもよく、またアンカーシート用モジュールを噛み合わせ、第２段階で装飾用の片を受け入れるように本質的にフックで覆われた完成された下張材を確立させるために、上層と下層との間にオーバーラップ部を備えることができる。
【図面の簡単な説明】
【００２７】
【図１】シートを結合するために隣接する継ぎ目をブリッジする一時的なフックカバーとともに、床上に並べて配置された本発明の第１の実施例のアンカーシートを示す図である。
【図２】別個に着脱可能な幅Ａのフックカバー片で被覆され床上に配置されたアンカーシートの境界における断面図である。
【図３】結合用フックカバー片を備えた図１の３−３線に沿った断面図である。
【図４】図１のアンカーシート上に配置されたカーペットを示す図である。
【図５】図４の５−５線に沿った断面図である。
【図６】床上で隣接し、オーバーラップさせる関係状態において配置され、予め組み立てたカーペットおよびアンカーシートを共に示す図である。
【図７】図６の７−７線による断面図である。
【図８】隣接するアンカーシートをまたぐ別個のカーペット片を備えた他の実施例を示す図である。
【図９】図８の９−９線に沿った断面図である。
【図１０】装飾的な模様を備えたアンカーシートおよびカーペットの他の配置を示す図である。
【図１１】縁を有するアンカーシート上に敷設された床の一部に敷く敷物を示す図である。
【図１２】図１１の１２−１２線に沿った断面図である。
【図１３】アンカーシートと、モジュールユニットから作り出された上に重なる装飾用カバー片とのさらに他の実施形態を示す図である。
【図１３Ａ】アンカーシートと、個々のモジュールユニットとして予め組み立てられ、隣接し重ね合わせた方法で配置された、上にある装飾用カバー片とのさらに他の実施例を示す図である。
【図１４】フックでほぼ被覆された上面、アンカーシートの下面に任意選択でクッションを有するアンカーシートを示す図である。
【図１５】装飾的に完成された上面およびループでほぼ覆われた下面を有する装飾用カバー用モジュールを示す図である。
【図１６】フックおよびループの技術によりアンカーシートにオーバーラップするように取り付けられた着脱可能で精度をもった装飾用カバーを有する、モジュールサーフェイスカバーの１つのカバー用モジュールを示す図である。
【図１７】図１６の線１７−１７による断面図である。
【図１８】下に横たわる基体上で隣接し重ね合わされた関係で配置された２枚の予め組み立てられたカバー用モジュールを示す図である。
【図１８Ａ】下に横たわる基体上で隣接し重ね合わされた関係で配置された３枚の予め組み立てられたカバー用モジュール、および敷設される第４のカバー用モジュールを示す図である。
【図１９】完成されたモジュールサーフェイスカバーの一部を示す図である。
【図２０】一緒に取り付けられた２枚のカバー用モジュールの断面図である。
【図２１】長方形の寸法と形状のカバー用モジュールからなるモジュールサーフェイスカバーの他の配置を示す図である。
【図２２】アートフィシャルグラウトの分離カーペットタイルを備えた装飾模様を表すモジュールサーフェイスカバーの他の配置を示す図である。
【図２３】図２２の配置において使用する装飾模様セパレータを示す図である。
【図２４】図２２に示した組み立てられたカバー用モジュールを現場で分配された１部分を示す図である。
【図２５】図２２に示した配置のための代替方法としてカバー用モジュールの他の配置を示す図である。
【図２６】フック用テープにより接合されたアンカーシート用モジュールの配置を示す図である。
【図２７】装飾用カバー片を受けるように準備された完成されたアンカーシートを示す図である。
【図２８】敷設の間にスリップカバーを用いるアンカーシートおよび装飾用の一部分の他の配置を示す図である。
【図２９】モジュールの組立ての場合において、第１のキャリヤ用アンカーシート上におけるサーフェイスカバー、ついで第２のアンカーシート上におけるサーフェイスカバーの組立てを示す図である。
【図３０】アンカーシートを覆う広幅のカバー用シート片と、個々の装飾用片との組合せを示す図である。
【図３１】アンカーシートモジュールを示す図である。
【図３２】カバー片を組み立てるための型板を示す図である。
【図３３】型板の使用により装飾用カバー片を受けるように準備された完成されたアンカーシートを示す図である。
【図３４】別の型板の使用を示す図である。
【図３５】硬木と、カーペットのロール巻き製品および硬木の縁取材とにより結合されたアンカーシート配置を示す図である。
【発明を実施するための形態】
【００２８】
本発明の実施例について添付図面を参照して述べることにする。
【００２９】
（アンカーシート）
図面を参照するに、第１の実施例のアンカーシート１は、隣接するアンカーシート３および５を有する図１に図示されている。各アンカーシートは、図２および図３でよりよく理解することができ、一般的なフックおよびループの固定システムで従来使用されるフックと類似のプラスチックあるいは繊維状のフック７で覆われている。好ましくは布製のカバー片９がフック７を覆っている。また、カバーはフィルムであってもよい。そのカバーは、図２および図３でよりよく理解することができる。フック７を清浄に保ち、敷設され上になるカバーの時期尚早な取付けを妨げるために、この形態のアンカーシートは、カバーで完全に被覆される。好ましくは、図２に示すように、各アンカーシートのへりに沿って予め裁断した幅Ａのスリット１２が幅Ａのカバー内に設けられる分離したカバー用ストリップ片１１がある。
【００３０】
アンカーシートは、後述のように、ロール巻で設けることができるが、図１の実施例においては、例えば、４×８フィートの長方形の単なるシートである。アンカーシートは、ウォールツーウォールの敷設の場合、床あるいは他の剛い基体の全面を被覆するように、他のアンカーシートに対して連続し、隣接する関係状態で床上に配置され得る。アンカーシートは、カバー９およびストリップ１１で被覆されるので、フック７および相補的なループが時期尚早に取付けすることなく、アンカーシート上にカーペットを配置および敷設することが可能である。その構築されるカーペットは、例えば、米国特許第４，８２２，６５８号（Ｐａｃｉｏｎｅ）（特許文献４）に記載のように、このアンカーシート上に敷設することができる。
【００３１】
しかしながら、アンカーシート上でカーペットを扱う場合、もしアンカーシートが少なくとも互いに固定され別個の部位で床に予め取り付けられるならば、それは、好ましいかもしれない。アンカーシートは、例えば隣接するアンカーシート１および３における、双方の予め裁断したフックカバー用ストリップ１１を取り除き、隣接するアンカーシートの間の継ぎ目を覆い、それらを互いにくっつける両者にまたがる例えばフックカバー片１３で置き換えることにより、互いに取付けることができる。ストリップ１３は、幾枚かのアンカーシートの間の継ぎ目を覆うことができる。例えば図１において、それはまたアンカーシート８および１０の間の隣接する継ぎ目を覆っている。
【００３２】
アンカーシートは、また図１の地点１４などの別々な部位で床に取り付け得る。アンカーシートは、床に固定され、アンカーシートの裏地上の相補的なループに装着可能なフックテープにより、接着されて取り付けられてもよく、あるいは両面粘着テープにより取り付けられてもよい。しかし、ほとんどの場合、アンカーシートを剛い基体に取り付ける最も単純な形態、特に基体が、例えば木の床の場合、釘あるいは留め鋲の使用により別々の地点でアンカーシートに取り付けられる。この場合、上にあるカーペットをアンカーシートに取り付けるために裁断し、定位置ではめ合わせた後に、上にあるカーペットを取り除くことができるように、このような釘あるいは留め鋲の頭でフックカバーシート９を恒久的にアンカーシート１、３、５等に取り付けることなく、アンカーシート１、３、５等を、フックカバーシート９を通して床に釘付けにすることを可能にするために、フックカバーシート９は、穿孔、スリット、あるいは穴を有する方が賢明である。これに加えて、アンカーシートの厚さあるいは脆さによっては、アンカーシートに予めあけられた孔を有する方が賢明であるかもしれない。
【００３３】
むしろアンカーシートを床に取り付ける形態によっては、カーペットの敷設中両側にまたがるフックカバー１３を使用することによりアンカーシートを互いにくっつける必要はないかもしれない。
【００３４】
フックカバー９の下の広い面積でカーペットを、アンカーシートに通常十分取り付けるので、カーペットの下に横たわる継ぎ目に応じ、またがるフックカバー１３をアンカーシートに取り付けられたままにしておくこともまた可能かもしれない。あらゆる状況においてアンカーシートを下に横たわる床の基体に取り付けることは必要ではない。上にあるカーペット（図１、図２、あるいは図３には示されていない）は、アンカーシートに付加的な質量および剛性をもたらすはずであり、このような上にあるカーペットにより互いにしっかり装着するはずである。この場合、カーペットの質量およびアンカーシートの剛性によっては、この組合せたものは、アンカーシートおよびカーペットが敷設される部屋あるいは領域の壁あるいは他の外縁を取巻く境界の中に拘束されることにより十分しっかりと定位置に保持され得る。
【００３５】
場合によっては、十分に広いカーペットの面積が与えられる場合には、また下に横たわる床の構造によっては、それら自身実質上動かずにその場所に留まるような十分な質量をもつので、下に横たわる床に床の一部に敷く敷物（エリアラッグ）でさえ取り付ける必要がないかもしれない。また、例えば、エリアラッグおよびウォールツーウォールカーペットの両方の場合、それは、家具あるいは他の重い物体が、カーペットおよびアンカーシートの組合せたものの上に敷設されるかどうかによるはずである。
【００３６】
場合によっては、図４に示すようにカーペット１５がアンカーシートに重ね合わされるように、図１に示すように隣接するアンカーシートが、そのアンカーシートより広い幅のカーペットの下に敷設されることになる。カバー９が取り除かれたとき、カーペットの裏地のループ１８はフック７と係合可能となる。敷設のため、カーペット１５は、全体がフックカバー９により被覆されているアンカーシート上に広げられる。つぎにカーペットは裁断されて合わせられ、定位置に調整され、下に横たわるアンカーシート１と任意の取り付けを行う前に、他のカーペットのロールに対し隣接される。図５において、フックカバー９あるいは１３を取り除く前のアンカーシートおよびカーペットの断面を示す。従って、このようにカーペット１５は、突き合わされるアンカーシート１および３の間の継ぎ目１７と重なる。アンカーシート１および３は、前述のように床に取り付けることが可能であり、これらはまた継ぎ目１７にまたがるフックカバー１３により互いに取り付けられる。いったんカバー９が取り除かれるとき、少なくとも一部のアンカーシート１および少なくとも一部のアンカーシート３は、両者ともカーペット１５がアンカーシート１および３の間の継ぎ目１７にまたがり、このようなアンカーシートを結合するようにカーペット１５に取り付けられる。ある状況ではまたがるフックカバー１３は、またなくすことが可能であり、好ましくさえある。しかしながら、こうすることが常に必要なわけではない。少なくともフックカバー９が一旦取り除かれるとき、下に横たわる基体に取り付けられていてもいなくても、カーペットおよびアンカーシートは、たとえ直接床に取り付けられていなくても通常の使用の下でしわがよらない比較的大きな強度、質量、および剛性の隣接する剛い床のカバーを形成する。
【００３７】
実際には、カーペットおよびアンカーシートは、全体のユニットの動きを妨げるために僅かな別々の地点で床に取り付ける必要があるであろう。カーペットおよびアンカーシートは、個々には可撓性があるけれども、適正に設計された薄くて比較的剛いプラスチックあるいはポリマー製のアンカーシートに、フックおよびループにより取り付けられた軽量のカーペットは、さらに強い大気および構造的な安定性をもつために、往々にしてその部分の和より大きな、比較的剛性のある質量を作り出す。
【００３８】
アンカーシート自体は、好ましくは厚さ１０／１０００から３０／１０００までの好ましくは厚さの薄いポリカーボネート、ポリエチレン、ポリプロピレン、あるいはポリエステルから作製される。石あるいはセラミックタイルなどの厚いカバー材料に対しては５０／１０００ほど、あるいはそれより厚くさえあってもよい。厚さは、カバー用材料およびカーペットに対する安定性の要求により変更してもよい。アンカーシートもまた、薄いシートメタル、炭素繊維、あるいはポリマーのいくつかの形態から作製することが可能である。アンカーシートは、弾性を与える発泡層を含み得る。フックは、任意の従来の手段によりシートに装着することができるが、押出しあるいは共有押出し成形が好ましい方法である。フック材料は、フックがアンカーシート自体より相対的により弾性かつ可撓性であることが必要であるので、他のプラスチックあるいはポリマー材料であることが賢明であり、接着剤を伴うフィルムを応用したものでさえ可能である。この場合、単一構造よりもむしろ積層したアンカーシートを使用され得る。
【００３９】
多くの状況においては、アンカーシートおよびカーペットは共に、単一のユニットとして巻き取るのに十分な薄さ、かつ十分な可撓性をもつ。これは、幾つかの実施例においてカーペットをアンカーシート上に予め敷設することを可能にし、この場合、図６に示すように、より容易に敷設することができる。また、上述したように、アンカーシートは、それがテープあるいは布状ではないという意味において比較的剛い。
【００４０】
この場合、アンカーシート２１（図７において理解されるように）上に敷設されたカーペット１９は床上でロールに巻かれており、隣接する壁２３および２４に合うように裁断される。
【００４１】
カーペット片１９およびアンカーシート２１は、カーペット片２９およびアンカーシート３１と同じ形態でその場に配送されるが、しかし、壁２３に隣接する一部において余分な広さのカーペットは、壁と突き合わす必要がないように切り落し、あるいは残してもよい。
【００４２】
カーペット片１９は、この場合、フックカバー２７で被覆されたフック２５の領域を露出したまま残すために、カーペット片１９より大きいアンカーシート２１の上に予め敷設される（図７でよりよく理解することができる）。この方法によるロール巻きされた大部分のカーペットは、カーペットがアンカーシート３１の一方の側で重なり合い、他方の側でアンカーシート３１自体がカーペット片２９を越えて延びるように、カーペット片２９に対し示されるようなはみだし部分を伴って、工場でアンカーシートの上に敷設されることになる。ついで、カーペットおよびアンカーシートの組合せ２９および３１が広げられてカーペット片１９と隣接され、裁断して定位置ではめ合わされ、そののちフックカバー２７は、引き上げ除去され、それによりカーペット片２９が巻き取られるか、あるいは場合によってはカバー２７は継ぎ目３３を通して引くことにより取り除くことができる。ついで、カーペット片２９は、アンカーシート２１および３１の両者にしっかり取り付けられ、それら２つの間の継ぎ目３５に橋わたしするように２枚のアンカーシートを一緒にくっつける。次に、別の同様なカーペットのロールをフックカバー３７上に載せこのようなフックカバーを取り除いて次の隣接するカーペット片をアンカーシート３１に取り付け、この手順を繰り返し、部屋が連なるカーペットおよびアンカーシートで被覆されるまで何度もこのプロセスを繰り返すことが可能である。
【００４３】
アンカーシートを床に取り付けることが必要な場合、それはアンカーシートが留められ、フックカバーが３９あるいは４１で予め敷設されたカーペットのロールにより被覆されていない露出した領域においてなされる（図６に示す）。この場合、フックカバー２７あるいは３７は、フックカバーを通して取り付けられる釘あるは留め鋲がフックカバーを下に横たわるアンカーシートに取り付かないようにするために、穿孔、スリット、あるいは穴を有してもよい。このため、フックカバーは前述のように取り除くことができる。例えばストリップ３９および４１で床にアンカーシートを取り付けることは、大部分とは云えないとしても多くの場合、また装飾用カーペットカバーが単一ユニットとしてアンカーシートと一緒に結合されるという組み合わせ場合、特にしっかりした取り付けであるべきである。
【００４４】
工場でアンカーシート上にカーペットを敷設するいくつかの状況においては、利点がある。工場では、装飾上の目的のため、また１枚の片として一緒にカーペット片を輸送するための両者に対し、アンカーシート上で幾つかの異なるカーペット片を裁断し、合わせることができる。従って、図６に示すように、カーペットロール上に間隔を置いて、例えば装飾あるいは模様が繰り返されたインサート４３、またより小さい幾何学的なインサート４５を有することができる。典型的なこれらのインサートは、快いカーペット模様を作り出すため、異なる色、あるいは異なるデザインまたは模様とされる。
【００４５】
図８は、カーペットの敷設の他の形態を示す。この場合、カーペットおよびアンカーシートは取り付けられて工場から配送されるが、例えばカーペット４７は、図９に示すように長手方向の両側縁でほぼ幅Ｃのアンカーシートのフック４９およびフックカバー５０の露出された領域を残すためにアンカーシート４８より狭い。この場合、カーペットは広げられ、所望ならば下に横たわる床に取り付けられる。その上にカーペット５２を敷設した他の類似のアンカーシート５１が広げられ、アンカーシート４８に隣接される（図９参照）。アンカーシート５３もまた広げられ、アンカーシート５１に隣接される。アンカーシートは、敷設のこの段階ではこれらストリップの領域はカーペットカバーを含んでいないので、例えばストリップ片の領域５５、５７、５９、および６１を介して釘留めすることにより床に取り付け得る。橋渡し用カーペットストリップ６３は、カーペット５５および５７により被覆されていない領域に合わせ得る（図９でＤと標記された領域）。合わせた後、下に横たわるフックカバー５０および５４は、カーペット片６３をブリッジするようにアンカーシート上に敷設し、アンカーシート４８をアンカーシート５１にしっかり取り付けるために取り除かれてもよい。それから、同様の手順が、アンカーシート５３に対してとられる。
【００４６】
通常、この敷設の形態は、個々のカーペット領域４７および５２の周りの装飾的なふち飾りを提供するために、カーペット片４７および５２とは異なる色あるいは模様のカーペットストリップ６３を有することが望ましいところで用いられるであろう。この場合、その模様即ちふち飾りは、また側縁６５に沿って含まれ得ることであり、これはアンカーシート４８よりも小さい寸法のカーペット片４７を敷設し任意の望ましい厚さのストリップ６５を作り出すことにより容易に適合させることができる。また、この敷設の形態は、ふち飾り部分にカーペットの飾り付けが行われ、最後に切り整えられるので、部屋の種類に対応し得る。
【００４７】
さらに、アンカーシート４８および５１は、鋲留めまたは釘により、あるいはまた相補的なフックとループ取り付けシステムにより、あるいは接着剤または両面粘着テープ（通常好ましくないが）により、このいずれかにより床に取り付けることが可能である。
【００４８】
図１０には、アンカーシート７３上に取り付けられた中央のメダイヨン６９およびコーナー部品７１を含む他の形態あるいは模様６７が示されている。この場合、アンカーシートおよびカーペット片は、簡単に隣接し、通常、上面にフック、フックカバー（図示せず）を有し、床に取り付けるために下面に接着剤７７を有する小片のフックテープ７５により床に取り付けられる。通常、接着剤は剥離しやすいドライ式カバーを有している。
【００４９】
この場合、カーペット６７およびアンカーシート７３は、隣接するカーペット片と重なるその端における個々の断片７５により取り付けることができる。またストリップは、例えばカーペット片６７および６９の間の継ぎ目に沿って用いることができるが、幾つかの部品が用いられることになる場合、通常、図１９に示すようなオーバーラップ用モジュールシステムが用いられる。これは、所定の位置に継ぎ目を保持することに役立ち、また継ぎ目を損ねることとなる異なるカーペット間に存在するであろう標準寸法の差異の問題に役立つからである。もし、モジュールシステムが用いられるならば、その下に横たわる床に取り付け箇所は、必要でなくなるかもしれない。
【００５０】
後述のように、この同一の模様は、例えば隣接するアンカーボード７３上に断片７９を重ねることにより床に取り付けることなしに用いることができる。この場合にはもちろん、断片６７は、より短く作られなければならない。
【００５１】
アンカーシートシステムの１つの利点は、異なる色あるいは模様を所望する場合、カーペットインサート６９および７１を、例えば取り除き、置き換え、あるいは交換することができ、同様に図６に示すようにインサート４３および断片４５もまた取り除き、交換することができることである。任意の模様を挿入することができ、またもし標準寸法が用いられる場合、その模様は、例えば少年用の模様から少女用の模様に、あるいは居間用の模様から寝室用あるいは浴室用の模様に、カーペット片を変えるために互換性を与え得る。
【００５２】
他の主要な利点は、アンカーシートは、図１０に示すパッド７５を伴うような個別の端の領域での取り付けのみで必要であるが、それにもかかわらず、カーペット片６７、６９、７１、および７２は、模様を任意の点で挿入しあるいは置き換えることができるように例えばアンカーシート７３上にそれらの下面全体にわたって全て取り付けられることである。
【００５３】
図１１および１２に示すように、図１２に最もよく示されるように、カーペット片８１がアンカーシート８３上に敷設されるところにエリアラグもまた作り出され得る。アンカーシート８３は、カーペットの露出した側縁８７を被覆する上を向いた即ち、巻き付けられたリップ８５を有する。
【００５４】
このような小カーペット（エリアカーペット）に対するアンカーシートは、釘により、あるいはフックとループの技術（アンカーシートの下面がループで覆われ、ついで対応するフックテープに対応して敷設される場合）により、あるいは任意の従来の取り付けシステムにより取り付けることができる。
【００５５】
ほとんどの場合、それは床に粘着剤により取り付けられた対応するフックテープの小片と合致するアンカーシート８３の下面に粘着剤で取り付けられたループテープの小片により、下に横たわる床に個々の地点でアンカーシートを簡単に取り付けるには十分であろう。場合によってはエリアカーペットは、下に横たわる床に全く取り付けないで済むように、十分な質量および安定性を有することができる。取り付けに対する必要性は、例えばアンカーシート８３がその下面に滑らない面を有する場合、減少する。開示されたアンカーシートにより、エリアラッグを、今までその床にエリアラッグを張るのが難しかった御影石、大理石、あるいは石材の床に取り付けることが可能である。これに加えて、カーペット８１は、カーペット６７および７９と同様に挿入された模様をもつことが可能であり、例えば東洋風のカーペットさえも模倣することのできる比較的安価な模様のラグを始めて可能にし、それら模様はかなり精巧であることも可能であり、そこでは多数のカーペット片が単一のアンカーシート８３上に敷設される。予め成形したアンカーシート８３上に敷設されたカーペット片を用いて、不規則な模様のキルトあるいは自分自身で作ったカーペットを作り出すことさえ可能である。
【００５６】
図２６に示すように、大型シートまたはモジュール形態のいずれかのアンカーシートを相互に取り付けることもまた可能であり、そこではアンカーシート１４０が、フック部分１４２およびフックのないベース部分１４４からなる積層物から形成される。そのベース部分は、少なくとも２辺、好ましくは４辺でフック部分と重なり合う。ついで、アンカーシートの質量を、例えば継ぎ目１４８におけるように継ぎ目あるいは継ぎ目上に粘着剤（あるいはフックとループによる）により敷設されたテープ１４６（その上面にフックを有しても、有しなくてもよい）を用いて作り出すことができる。この方法で形成されたアンカーシートは、図２７に見ることができ、比較的平坦な表面を与える。図２７に示すように、フックテープを継ぎ目を接合するために用いる場合、フック１５０は、一般にアンカーシートの全面にわたって延びることになる。このようなアンカーシートは、図２６あるいは２７に示すように、取り付けられたクッション１５２から形成されてもよい。磨かれ、あるいは磨かれていない床などの構造的支持体の上に配置された場合、アンカーシートは、カーペット、タイル、セラミックタイル、木材等の装飾片の任意の組合せをいつでも受けることができ、それはフックとループとにより敷設することができる。張られる模様の限定されない配列は、例えば図２７、３２、３３、および３４に示すように、一時的な取り外し可能な冶具あるいは型板１５４の使用により形成され得る。型板は、枠組構造１９１用に下方に突き出ている櫛歯１８９の壁を有してもよい。例えば、犬用ブラシなどの櫛あるいはブラシに見られる、このような櫛歯は、型板１５４が取り除かれたとき、互いに当接関係でその位置に装飾用カバー片を厳密に誘導するのに十分剛く、細く、かつ可撓性を有する。また、図３２は、より小さな型板１５５を示す。図３３には、一般にプラスチック製の壁の枠組１９５から作製される他の型板１９３が示される。これはまた、いったん型板が取り除かれるとき、隙間なしにカーペット片１９７などの装飾片の挿入をもたらす。カーペット片１９７は、アンカーシート２０１あるいはフックテープ２０３上にフック１９９を取り付けるためにループ（図示せず）のある下側カバーを有する。
【００５７】
図３４に示すように、型板が取り除かれるとき、例えばカーペット片２０７および２０９がアンカーシート２１１上に相互に適切に間隔を置いて配置されるように間隔をもたらす。そのように、例えば型板の壁２１５が、適切な間隔を与えるための例えば箇所２１７に隣接する次の位置で、これが図３４に示した型板の再使用によりもたらされるためにそのような間隔が、例えば型板の壁２１３でもたらされる。
【００５８】
図２６あるいは２７に示すように、アンカーシートが安定化される場合、あるいは比較的大きなアンカーシートが用いられる場合、図２８に示すように個々のサーフェイスカバー片１５６は、スリップカバー１５８を用いて、より容易に順番に敷設され得る。スリップカバー１５８は、スリップカバーをアンカーシート１６２に対して比較的水平な角度で維持することを可能にするようにスリップカバー１５８に対して上向きの角度で設けられるハンドル１６０をうまい具合に備えている。カバー片１５６は、敷設を誘導するために面１６４および１６６に沿って互いに組み合うような形を与えられる。
【００５９】
アンカーシート１６２が、特に図２６に示すようにブリッジするフック用テープ１４６の使用により、隣接するアンカーシート１６８に予め取りつけられる場合、カバー片１７０および１７２の次の列は、自然にアンカーシート１６２と１６８との間の継ぎ目１７４に重なり合うことになる。カバー片は、シート１６２と１６８との間の継ぎ目を補強することになるが、継ぎ目を作りあるいは維持するためには必要ではない。
【００６０】
アンカーシートは、単一層あるいは積層された層から構成されてもよく、また要求によっては多数のアンカーシートを用いてもよい。従って、アンカーシートは、以前説明したようにクッション層を有してもよい。また、それは図２７に示すようにフックのない領域１７５を備える別々に積層されたフックを有する層を有してもよい。
【００６１】
図２９に示すように、第１アンカーシートは、任意の恒久的あるいは着脱可能な手段（接着剤あるいはフックおよびループなど）によりシート１７７上で始めに予め組み立てることのできるサーフェイスカバー片１７６のキャリヤとして働くことができ、ついでこのような断片は、以前述べたように重ね合わせられて敷設するためのモジュールを作製するための恒久的または着脱可能のいずれかの手段により、変形例ＡおよびＢで示すようなアンカーシート１７８上で組み立て得る。
【００６２】
アンカーシート上のサーフェイスカバー片１８４およびサーフェイスカバー片１８２の組合せは、図３０に示すように使用され得るものであり、アンカーシート１８０（この場合はクッション１８１を備える）は、以前開示した任意の方法により組み立てられ、取り付けられるか、あるいは、サーフェイスカバー１８２により共に保持される。また、このようなシート１８０は、作業即ち、ステープルにより簡単に直接床に取り付けることができ、あるいは特に立ちはだかる周囲条件により強制されない限り互いに隣接することによる浮動式であってもよい。インサート１８６を備えたサーフェイスカバー片１８４から作製された他の装飾的な模様は、図２５に示した使用されるモジュールのようなカーペットモジュールに加え、あるいは予め組み立てられるカーペットモジュールであってもよい。図３１は、被覆されることになっている現場に輸送されるアンカーシートモジュール２１９を示す。アンカーシートモジュール２１９は、付加的なモジュールに取り付けられて被覆用の装飾用カバー片（図示されていない）を敷設するためのアンカーシートの下張り材を形成することができ、このような装飾用カバー片は、２１９などのアンカーシートモジュールに着脱可能に取り付けるための相補的なループを有する。アンカーシートモジュール２１９は、その上面２２０および下面２２４を多数のフックで覆われた上層２２３と、下層２２５のオーバーラップ領域２２６が、隣接するモジュールの上層のオーバーラップ部分を着脱可能に取り付けるために、あるいはそのモジュールと隣接するモジュールの間の継ぎ目にオーバーラップする追加の断片を着脱可能に取り付けるために用意されるような方法で上層２２３に取り付けられた下層２２５とを有する。下層は、例えば図２６、２７、３０、あるいは３５に示すように、クッションなどの弾性材料（図３３には図示されていない）と共にもたらされる。図３３に示すアンカーシートモジュール２１９の着脱可能の取り付けは、フックおよびループの技術による。しかしながら、アンカーシートモジュール２１９の上層２２３および下層２２５は、任意の従来の方法、すなわち接着剤あるいはフックおよびループの技術を用いる恒久的または着脱可能のいずれかにより接合され得る。アンカーシートモジュールは、フックおよびループの技術により、あるいは粘着剤などの幾つかの他の着脱可能な方法により他のアンカーシートモジュールに接合され得る。
【００６３】
「完成された」アンカーシートは、図２６に示すようにモジュールとして、あるいは例えば図１に示すようにより大きなユニットとして最初に床上に敷設される場合、その継ぎ目は、例えば図１の１３、あるいは図２６の１４６のようにテープあるいはテープカバーで被覆したまま残すことができる。これは、アンカーシートアッセンブリが、装飾用カバーを敷設する前、例えば厨房あるいは浴室内で使用するために比較的防湿性のバリヤーを作ることを可能にする。
【００６４】
「完成された」アンカーシートの下張材は、装飾用カバー片の容易な敷設をもたらし、また例えば、顧客が硬木から大理石へ切り換えることを望む、あるいは大理石のインサートあるいは硬木のふち飾りを加えることを望む場合、除去、交換、あるいは再設計するために容易な敷設をもたらす。モジュール片の切り揃えは、アンカーシートおよび装飾用カバーを組み合わせるロール巻き製品あるいはモジュールからなるユニットを扱わねばならない場合よりも容易となり得る。
【００６５】
（カバー用モジュール）
図１３に示すように、アンカーシート８９は、より小さなモジュールで作製され得る。カーペット片９１などの装飾用カバーは、例えば、カーペットタイルでもよい。それらが図１３に示すように重なり合う関係で配置される場合、床に取り付けることなしに安定な敷設を提供するのに十分である質量がアンカーシート８９およびカーペット片９１により形成される可能性がある。それらは、断片９１がカーペットでなく、寄木張りあるいはその他の剛い装飾用カバーの場合は、特にこの事例に当たる。しかしながら、アンカーシート８９を床に取り付けることが望ましい場合、それは鋲留めあるいは釘により、あるいは従来のフックとループの技術を用いて容易に行うことができる。この場合は、アンカーシートが若干のフックカバーの除去の前に、しかしフックカバーを床に取り付けることなく、床に取り付けることができるように、さらにテープカバー９５（テープカバーが用いられる場合）中にスリット、穿孔、あるいは孔９３を有することが好ましいであろう。
【００６６】
図３５は、アンカーシートシステムの多用性を示している組み合わされた床を示す図である。アンカーシートの下張材２０２は、フックおよびループを用いて取り付けられる硬木のカバーユニット２０４と共に示されている。硬木のふち飾り２０６は、取り付けられたクッション２１２および広幅のカーペットロール２１０を伴うアンカーシート２０８を取り付けることができる領域を形成して取り付けられる。付加的な装飾用カバーは、セラミックタイルとプラスチックタイル、硬木とカーペットの両者を「混ぜ、かつマッチング」させることができる。
【００６７】
図１３ａには、図１３と似た配置が示されているが、そこでは模様は、全サーフェイスカバーを組み立てる前に、例えばカバー９１およびアンカーシート８９のユニットを作成するようなモジュール方法で組み込まれる。カバーモジュールと呼ぶ、このようなユニットの形態を下記に述べる。
【００６８】
図１４および１５に示すように、取り付けの他の形態においては、カバーモジュールは、任意選択でその下面９８にクッションと、実質上フック９７で覆われた上面を有するアンカーシート９６と、装飾的に仕上げられた上面１００および実質上ループ１０１で覆われた下面を有するアンカーシート上に配置するための装飾用カバー９９とを含んでいる。カバーモジュールは、図１７に示すように面ＡＡに沿って重ね合わされる形式で着脱可能に予め少しずらしフックの領域は露出ＢＢしたまま残され、一方、装飾用カバーの下面上の若干のループもまた露出ＣＣしたまま残されるように、取り付けられる。好ましくは布であるカバー片は、フック９７を覆うことができるが、図１８および１８ａに示すように一時なカバー１０６の使用は必要ではない。組み立て以前にフック面をごみが覆うのを防ぐためにカバー片を用いるのが賢明であるかもしれない。
【００６９】
ついで、これらの予め組み立てたカバーモジュールは、現場に移送される。図１８および１８ａに示すように、１つのカバーモジュールの装飾用カバーの下面に露出されたループ１０１と、隣接するカバーモジュールのアンカーシートの上面の露出されたフック９７とを係合させるように、別々に隣接する方式で下に横たわる基体上に配置される。図１８に示すように、その増大するモジュールからなるサーフェイスカバーに加えられた各カバーモジュール１０５は、薄くて剛いプラスチック片１０６により、確定されたカバーモジュール１０７のアンカーシートの露出されたフック上、その適切な位置に誘導される。剛いプラスチック片は、敷設の間に、フックとループの時期尚早な係合なしにユニットの配置および調整を可能にする。隣接するカバーモジュールのアンカーシートの上面にフックとを、１つのカバーモジュールの装飾用カバーの下面のループとを適正に調整させた後に、薄くて剛いプラスチック片は、水平面に平行に滑らせ、２つのユニットから離される。それによってその隣接されるユニットが、フックおよびループの技術により係合するのを可能にする。ついで、最後に加えられたカバーモジュールの任意のフックカバー片（図示せず）が、続くカバーモジュールの付加に備えて取り除かれる。カバーユニットを隣接するカバーユニットに対し、フックおよびループの技術により機械的に結合させて取り付けるという、この段階的な工程は、図１９に示すように隣接するサーフェイスカバーを作り出すために繰り返される。図２０は、一緒に取り付けられた２つのカバーモジュールの断面図を示す。
【００７０】
カバーモジュールを使用する不利な点は、それらを長い距離にわたって調整することが難しいことである。好ましくは、アンカーシートは、隣接するアンカーシートに対して正確に置かれるべきであり、好ましくは装飾用カバーは、隣接するカバーモジュールの装飾用カバーに対して正確に置かれるべきである。長さＡＡ、ＢＢ、あるいはＣＣ（図１７に示すように）が、少しだけでも離れているならば、多数のモジュールにわたって倍増されたこの量はサーフェイスカバーの不揃いに帰することになる。従って、もしアンカーシートおよび装飾用カバーが、カバーモジュール上で正確に調整されていないならば、実際にここで開示したようなオーバーラップシステムを容易に敷設することは不可能であろう。実際には図１７に示したように正確な関係状態で、好ましくは精密に調整させるために機械を用いた工場における予備組立てにより、これらの予め取り付けられたモジュールを有することが必要である。装飾用カバーとアンカーシートの一定の調整を維持するために敷設場所で型紙あるいは型枠を用いることもまた可能であるが遅い。
【００７１】
以前説明したように、アンカーシートが最初に敷設され、相互にあるいは床に、恒久的あるいは一時的のいずれかで結合されるところでは、図２７、３２、３３、および３４に示すように、無制限の数の被覆用の模様を敷設するために、一時的な取り除くことのできる型板、即ち冶具１５４を用いることができる。
【００７２】
敷設のこの形態の１つの利点は、無制限に様々な模様を作り出すことができることである。異なる色あるいは模様の組合せが所望の場合、装飾用カバーあるいは全カバーモジュールを、取り除き、交換され、あるいは置き換えることができる。任意の模様を挿入することができ、もし標準寸法を用いるならば、模様は互換性をもつことができる。例えば、異なる色をもつカーペットのユニットは、独特なカーペットの図案あるいは様々なタイプのカバーモジュールの組合せを作り出すことができ、カーペットと硬木、あるいはセラミックタイルと大理石などを組み合わせ、続いて置き換え、あるいは交換して、さらに他の独特な配列を形成することができる。
【００７３】
この手順を容易にするため、モジュールからなるサーフェイスカバーの別々のユニットを分離するために前述の薄くて剛いプラスチック片は、また用いられる。薄くて剛いプラスチック片は、隣接するユニットのフックとループのファスナの機械的に結合された部分の間に水平面に平行に挿入される。それによって、機械的結合を分割し、フックおよびループが互いに接触しないように保ち、ユニットをモジュールサーフェイスカバーから外し、取り除くことを可能にする。
【００７４】
他の利点は、ほとんどの場合一緒に取り付けたとき、装飾用カバーの質量およびアンカーシートの剛性により、隣接するアンカーシートに対して、隣接するカバーモジュールのフックおよびループによる取り付けの結果生じるモジュールサーフェイスカバーを、下に横たわる基体に取り付けることを必要とせずに所定の位置にしっかり保持することを可能にするであろうということである。しかしながら、例えば壁カバーを伴うような選択されたカバーモジュールを基体に取り付ける必要がある場合には、それを鋲留め、釘打ち、接着剤により、あるいはフックおよびループの技術の使用により行うことができる。続いて加えられた隣接するモジュールに、フックおよびループの技術によりさらに結合されるはずのカバーモジュールのアンカーシートの露出した部分が、下に横たわる基体に鋲留めするために用いることができる。ついで、このような露出した部分は、隣接するカバーモジュールの装飾用カバーにより被覆される。このような別個の鋲留め地点は、図１６、１８、１９、および２１の中の１０８に示すようなものである。アンカーを地点１０８で、あるいはそれがより少ない点であってさえ基体に取り付けることは、ほとんどではないにしても多くの場合、十分な取り付けであるはずである。アンカーシートの厚さあるいは脆性によっては、アンカーシートに予めドリルであけられた孔を有するほうが賢明かもしれない。この場合、任意のフックカバーを取り除く前に、しかしフックカバーを床に取り付けないでアンカーシートを取り付けることができるように、さらにテープカバー（図示されていない）にスリット、穿孔、あるいは孔（図示されていない）を有することが好ましい。
【００７５】
図２２、２３、および２４は、図２４に示すようなカバーモジュール１１０を用いる付加的なカーペットあるいはセラミックタイルの模様を示す。このようなカバーモジュールは、アンカーシート１１２、セラミックあるいはカーペットあるいは任意の他の適切な材料であってよいタイルあるいは装飾用カバー１１４からなる。通常、タイルあるいは装飾用カバー１１４およびアンカーシート１１２は、示されたとおり正確に所定の関係状態に工場で予め取り付けられる。もしタイルあるいは装飾用カバーがその下面にわたってループ、またその上面にわたってアンカーシート用フックを含むならば、現場で要求される場合、分離および再取り付けが可能である。恒久的な接着剤がタイル１１４とアンカーシート１１２の間の恒久的な結合に用いることができ、またはフックとループの特性（すなわち、取り付けおよび再取り付けでき、すぐれた水平強度をもつ）を有する一時的な接着剤を用いることができる。例えば図２５に示したようにカバーモジュールは、異なる寸法であってもよく、異なる数のカバー片を含み大きなモジュールを形成するものでもよい。例えば図２５に示したカバーモジュールは、単一のアンカーシート上で組み立てられた単一のモジュールであってもよい。この場合、アンカーシート１３０、１３４、１３６、および１３７は、１枚の単一なアンカーシートとして製造される。
【００７６】
フックおよびループが用いられると仮定して、それから、アンカーシート１１２は、図１４および１８のフック９７に似たフックで覆われることになり、そのタイルの下面は、図１５および１７のループ１０１に似たループで覆われることになる。図２２の１１６のようなタイルおよび装飾用カバーが、アンカーシート１１２、１１８、１２０、および１２２に重なり合い、結合し、かつこれらのアンカーシートを結合させるのに役立つ。もしタイルがカーペットタイルならば、１１４、１１６、およびセンタータイル１２４を含むその他のものなどのタイルは、より大きなカーペット片の打抜きにより形成することができる。この場合、図２３に示したように「グラウト」形状の間隔用部品１２６が形成される。また、もし対照的な色の他のカーペットが裁断される場合、これらの片はそのようなカーペットから裁断された他の類似の形状の模様と共に用いることができる。この片１２６（図２３に示す）は、もしそれがタイル１１４あるいは１２４を作製するために用いたカーペットから生まれたものならば、別の模様に用いるために使用されなくなる。断片１２６と同じ形状の新しい断片（図示されていない）が含まれることになる（対照的な色のカーペットの打抜きによる）。
【００７７】
このような装飾的模様の１２６などのセパレータを用いることによって、同系色が出会う場所を極力少なくすることができる。部品１２６に対照的な色を用いることによって、視線は、同系だが同一ではない色合いの直線が出会う若干の欠陥よりもむしろ模様に引きつけられる。従って、図２２あるいは２５の模様の中では、類似の色は、例えば図２３の１２５、あるいは図２５の１１９においてのみ出会う。同じ色が出会い続くマッチングにとって難しさをもたらすことになる場所をなくすために、第３の、あるいはより多くの色さえも提供することが可能である。図２５に、例えばタイル１２８がアンカーシート１３４上に設置される他の配置を示す。模様は似ているが、タイルあるいは装飾用カバーは、アンカーシート１３４に対して異なる方向を向いている。この場合、タイル１２８は、例えばアンカーシート１３０および１３４と重なるが、アンカーシート１３４および１３６は、図２３に示すようにメイダリアン１３２により、またインサートあるいはまだ図２５の配列で敷設されていない「グラウト」１２６により取り付けられる。
【００７８】
１１４あるいは１２８などのタイルがセラミックタイルの場合、例えばタイル１１４、１１６、およびメダイヨン１２４の間の間隔は、図２２に示したものより小さいので、アンカーシートに対してそれらを所定の寸法に作ることが可能であり、その場合、ゴムのコーキングなど弾性グラウトが現実のグラウトをシミュレートするようにタイルの間の空間に摩擦バメではめ込まれるか、あるいはゴムのコーキングがタイル１１４あるいはメダイヨン１２４の周りに適合するように、ある寸法の弾性帯としてもたらされる。このような弾性帯は、１１０などのカバーモジュールが組み立てられる前にタイル上で予め敷設することさえ可能である。これに加えて、実際のグラウトは、タイル間の間隙へ直接用いることさえ可能である。
【００７９】
様々な実施形態における本発明のおよびカバーモジュールは、Ｐａｃｉｏｎｅによる米国特許第４，８２２，６５８号（特許文献５）に開示されたフックおよびループシステムのようなループを伴って作製された装飾用カバーあるいはカーペットの敷設において多用性を増加させることを可能にする。装飾用カバーおよびアンカーシートが予め取り付けられているカバーモジュールを用いて、露出された重なる面積に対する取付け面積を減少させることが可能であり、また引き離しまた再び取り付けることのできる接着剤のための、あるいはこのような露出された領域においてフックおよびループのための取付け用面積を低減することが可能である。アンカーシートにより、カーペット、およびその他の装飾用カバーは、表面を破壊することなく、ほとんどどのような面上にも容易に敷設することができる。これはカーペットあるいは硬木などの下に横たわる基体を取り除き、表面から膠などの接着剤を剥がす必要性をなくす。新しい装飾用カバーにより簡単に被覆されるので、もはやカーペットなどの大量の装飾用カバーを配置しなくてもよい。さらに本発明により、一時的にこのような床をカーペットあるいはタイルで被覆することなく大理石などの高価な床を損傷させずに後に使用するために維持することが可能となる。
【００８０】
本発明の幾つかの実施例を開示したが、添付の特許請求の範囲で請求されるような本発明の変形形態および組み合わせの全てを対象として含むことを意図している。
【図１】
2012101108.tif 000003
【図２】
2012101108.tif 000004
【図３】
2012101108.tif 000005
【図４】
2012101108.tif 000006
【図５】
2012101108.tif 000007
【図６】
2012101108.tif 000008
【図７】
2012101108.tif 000009
【図８】
2012101108.tif 000010
【図９】
2012101108.tif 000011
【図１０】
2012101108.tif 000012
【図１１】
2012101108.tif 000013
【図１２】
2012101108.tif 000014
【図１３】
2012101108.tif 000015
【図１３Ａ】
2012101108.tif 000016
【図１４】
2012101108.tif 000017
【図１５】
2012101108.tif 000018
【図１６】
2012101108.tif 000019
【図１７】
2012101108.tif 000020
【図１８】
2012101108.tif 000021
【図１８Ａ】
2012101108.tif 000022
【図１９】
2012101108.tif 000023
【図２０】
2012101108.tif 000024
【図２１】
2012101108.tif 000025
【図２２】
2012101108.tif 000026
【図２３】
2012101108.tif 000027
【図２４】
2012101108.tif 000028
【図２５】
2012101108.tif 000029
【図２６】
2012101108.tif 000030
【図２７】
2012101108.tif 000031
【図２８】
2012101108.tif 000032
【図２９】
2012101108.tif 000033
【図３０】
2012101108.tif 000034
【図３１】
2012101108.tif 000035
【図３２】
2012101108.tif 000036
【図３３】
2012101108.tif 000037
【図３４】
2012101108.tif 000038
【図３５】
2012101108.tif 000039